(57)【要約】      （修正有）【課題】導光カバーをハウジング内に固定し、洗顔器の振動時に導光カバーがハウジング上で揺れるのを防ぐ安定型洗顔器を提供する。【解決手段】安定型洗顔器は、ハウジングと、ハウジング内に配置された回路装置と、回路装置に電気的に接続された動力装置と、ハウジングの上部に配置された導光カバーと、導光カバー上に配置された押動用のマッサージ装置１２と、ハウジングの外周側に配置された洗顔用の軟質ゴム部材１１とを含み、導光カバーの下部には、リミットリングと、互いに対向して設けられた第１のリミットプレートとが含まれ、第１のリミットプレートはＬ字型であり、リミットリング内に配置され、マッサージ装置１２は、支持カバーとボール１２１とを含み、ボール１２１は支持カバーの導光カバーから離れた側に位置し、支持カバーは第２のリミットプレートを含み、ハウジングは第１の貫通孔と第１の固定プレートを含む。【選択図】図１
0003233602.tif 000002
【実用新案登録請求の範囲】
【請求項１】
上部ハウジングと下部ハウジングからなるハウジングと、前記ハウジング内に配置された回路装置と、前記ハウジング内に配置され、かつ前記回路装置に電気的に接続された動力装置と、前記ハウジングの上部に配置された導光カバーと、前記導光カバーの上部に配置された押動用のマッサージ装置と、前記ハウジングの外周側に配置された洗顔用の軟質ゴム部材と、を含み、
前記導光カバーは、リミットリングと、互いに対向して設けられた第１のリミットプレートとを含み、前記第１のリミットプレートはＬ字型であり、前記リミットリングは前記導光カバーの下部に位置し、前記第１のリミットプレートは、前記導光カバーの下部に向かって延び、かつ前記リミットリング内に位置し、
前記マッサージ装置は、支持カバーとボールを含み、前記ボールは、前記支持カバーの前記導光カバーから離れた側に位置し、前記支持カバーは、互いに対向して設けられた第２のリミットプレートを含み、かつ前記支持カバーの下部に位置し、
前記ハウジングには、第１の貫通孔と第１の固定プレートが設けられ、前記第１の固定プレートは、ハウジング内で前記第１の貫通孔の一側に位置し、前記導光カバーは、前記第１のリミットプレートによって前記第１の貫通孔内に嵌入し、かつ前記第１の固定プレートに係止され、前記第２のリミットプレートは、前記第１の貫通孔に嵌入して前記導光カバーを前記ハウジングに係止することを特徴とする、安定型洗顔器。
【請求項２】
前記ハウジングの上部には、さらに第１の固定突起が設けられ、前記第１の固定突起は、前記リミットリングの下方に位置し、前記第１の固定突起の直径は、前記リミットリングの直径よりも小さく、前記第１の固定突起は、前記リミットリング内に位置し、前記リミットリングは、前記ハウジングを位置決めするために使用されることを特徴とする、請求項１に記載の安定型洗顔器。
【請求項３】
前記ハウジングの前記導光カバーに近い側には位置決め孔が設けられ、前記導光カバーの下部には位置決めポストが設けられ、前記位置決め孔は、前記位置決めポストに対向して設けられ、前記位置決め孔は、前記導光カバーを位置決めするために使用されることを特徴とする、請求項１に記載の安定型洗顔器。
【請求項４】
前記導光カバーは、互いに対向して設けられた複数の位置決め板をさらに含み、前記位置決め板は、それぞれ前記導光カバーの頂部に位置し、かつ前記導光カバーの両端に位置し、
前記支持カバーの前記位置決め板に近い位置にはリミット溝が設けられ、前記位置決め板は、前記リミット溝内に位置し、前記位置決め板は、前記支持カバーを位置決めするために使用されることを特徴とする、請求項１に記載の安定型洗顔器。
【請求項５】
前記マッサージ装置は、転動軸およびシリコンプラグをさらに含み、前記転動軸および前記シリコンプラグはそれぞれ前記ボール内に位置し、前記シリコンプラグは、前記転動軸と前記ボールとの間に位置することを特徴とする、請求項１に記載の安定型洗顔器。
【請求項６】
前記支持カバーは、互いに対向して設けられた支持柱をさらに含み、前記支持柱と前記支持カバーとの角度は鋭角であることを特徴とする、請求項５に記載の安定型洗顔器。
【請求項７】
前記上部ハウジング内には第１のリミットフレームが設けられ、前記下部ハウジング内には第２のリミットフレームが設けられ、前記第１のリミットフレームと前記第２のリミットフレームとが対向配置され、前記第１のリミットフレームと前記第２のリミットフレームとがリミットチャンバーを形成し、
前記動力装置は振動モーターを含み、前記振動モーターは、前記リミットチャンバー内に接続されることを特徴とする、請求項１に記載の安定型洗顔器。
【請求項８】
前記回路装置の一側に電池が設けられ、前記電池は前記回路装置に電気的に接続されていることを特徴とする、請求項１に記載の安定型洗顔器。
【請求項９】
前記軟質ゴム部材はシリコンスリーブであり、前記シリコンスリーブの一面には、洗顔用の複数のクレンジングブラシが設けられていることを特徴とする、請求項１に記載の安定型洗顔器。
【請求項１０】
前記上部ハウジングの外側には固定溝が設けられ、前記シリコンスリーブの内側にはリミット突起が設けられ、前記リミット突起は前記固定溝内に位置し、固定溝は、前記シリコンスリーブの位置を制限するために使用されることを特徴とする、請求項９に記載の安定型洗顔器。
【考案の詳細な説明】
【技術分野】
【０００１】
本考案は、洗顔器の分野に関し、特に、安定型洗顔器に関する。
【背景技術】
【０００２】
技術の進歩および生活の質に対する人々の要求の向上に伴い、洗顔器はパーソナルケアでの使用が増えており、洗顔器により、クレンザーを高密度の均一な泡にし、顔を徹底的に洗浄したり、振動で顔や首をマッサージしたりすることで、美容や健康への効果を実現することができるが、従来技術の洗顔器は、導光カバーがハウジングに不安定に接続されており、緩みやすいので、振動時のモーターの振動効果が弱くなり、きれいに洗浄できなく、使用が不便で、使用感が悪い。
【０００３】
そこで、上記技術的課題を解決するに、安定型洗顔器を提供することが必要である。
【考案の概要】
【考案が解決しようとする課題】
【０００４】
本考案は、従来技術において洗顔器の導光カバーがハウジングに不安定に接続されており、緩みやすいので、振動時のモーターの振動効果が弱くなり、きれいに洗浄できなく、使用が不便で、使用感が悪いという問題を解決するために、安定型洗顔器を提供する。
【課題を解決するための手段】
【０００５】
上記の技術的課題を解決するために、本考案の技術的解決手段は、安定型洗顔器であって、上部ハウジングと下部ハウジングからなるハウジングと、前記ハウジング内に配置された回路装置と、前記ハウジング内に配置され、かつ前記回路装置に電気的に接続された動力装置と、前記ハウジングの上部に配置された導光カバーと、前記導光カバーの上部に配置された押動用のマッサージ装置と、前記ハウジングの外周側に配置された洗顔用の軟質ゴム部材と、を含み、
前記導光カバーは、リミットリングと、互いに対向して設けられた第１のリミットプレートとを含み、前記第１のリミットプレートはＬ字型であり、前記リミットリングは前記導光カバーの下部に位置し、前記第１のリミットプレートは、前記導光カバーの下部に向かって延び、かつ前記リミットリング内に位置し、
前記マッサージ装置は、支持カバーとボールを含み、前記ボールは、前記支持カバーの前記導光カバーから離れた側に位置し、前記支持カバーは、互いに対向して設けられた第２のリミットプレートを含み、かつ前記支持カバーの下部に位置し、
前記ハウジングには、第１の貫通孔と第１の固定プレートが設けられ、前記第１の固定プレートは、ハウジング内で前記第１の貫通孔の一側に位置し、前記導光カバーは、前記第１のリミットプレートによって前記第１の貫通孔内に嵌入し、かつ前記第１の固定プレートに係止され、前記第２のリミットプレートは、前記第１の貫通孔に嵌入して前記導光カバーを前記ハウジングに係止する。
【０００６】
本考案では、前記ハウジングの上部には、さらに第１の固定突起が設けられ、前記第１の固定突起は、前記リミットリングの下方に位置し、前記第１の固定突起の直径は、前記リミットリングの直径よりも小さく、前記第１の固定突起は、前記リミットリング内に位置し、前記リミットリングは、前記ハウジングを位置決めするために使用される。
【０００７】
本考案では、前記ハウジングの前記導光カバーに近い側には位置決め孔が設けられ、前記導光カバーの下部には位置決めポストが設けられ、前記位置決め孔は、前記位置決めポストに対向して設けられ、前記位置決め孔は、前記導光カバーを位置決めするために使用される。
【０００８】
本考案では、前記導光カバーは、互いに対向して設けられた複数の位置決め板をさらに含み、前記位置決め板は、それぞれ前記導光カバーの頂部に位置し、かつ前記導光カバーの両端に位置し、
前記支持カバーの前記位置決め板に近い位置にはリミット溝が設けられ、前記位置決め板は、前記リミット溝内に位置し、前記位置決め板は、前記支持カバーを位置決めするために使用される。
【０００９】
本考案では、前記マッサージ装置は、転動軸およびシリコンプラグをさらに含み、前記転動軸および前記シリコンプラグはそれぞれ前記ボール内に位置し、前記シリコンプラグは、前記転動軸と前記ボールとの間に位置する。
【００１０】
本考案では、前記支持カバーは、互いに対向して設けられた支持柱をさらに含み、前記支持柱と前記支持カバーとの角度は鋭角である。
【００１１】
本考案では、前記上部ハウジング内には第１のリミットフレームが設けられ、前記下部ハウジング内には第２のリミットフレームが設けられ、前記第１のリミットフレームと前記第２のリミットフレームとが対向配置され、前記第１のリミットフレームと前記第２のリミットフレームとがリミットチャンバーを形成し、
前記動力装置は振動モーターを含み、前記振動モーターは、前記リミットチャンバー内に接続される。
【００１２】
本考案では、前記回路装置の一側に電池が設けられ、前記電池は前記回路装置に電気的に接続されている。
【００１３】
本考案では、前記軟質ゴム部材はシリコンスリーブであり、前記シリコンスリーブの一面には、洗顔用の複数のクレンジングブラシが設けられている。
【００１４】
本考案では、前記上部ハウジングの外側には固定溝が設けられ、前記シリコンスリーブの内側にはリミット突起が設けられ、前記リミット突起は前記固定溝内に位置し、固定溝は、前記シリコンスリーブの位置を制限するために使用される。
【考案の効果】
【００１５】
従来技術と比較して、本考案は以下の有益な効果を有する。本考案の洗顔器は、導光カバーがハウジングと支持カバーの間に位置し、ハウジングの第１の固定突起は、リミットリング内に位置し、導光カバーの位置を制限して導光カバーがハウジング上で揺れないようにするために使用され、第１のリミットプレートは第１の貫通孔内に嵌入して第１の固定プレートに貼り合わせられ、第１のリミットプレートがＬ字型であるため、第１のリミットプレートは第１の固定プレートに係止され、支持カバーの第２のリミットプレートは第１の貫通孔内に嵌入して第１のリミットプレートがハウジングから離れるのを防ぐことで、導光カバーをハウジング内に固定し、最も好ましくは支持カバーと導光カバーをネジでハウジング上に固定することで、洗顔器の振動時に導光カバーがハウジング上で揺れるのを防ぐ。
【図面の簡単な説明】
【００１６】
本考案の実施例または従来技術における技術的解決手段をより明確に説明するために、以下、実施例で使用される図面を簡単に紹介し、以下の説明における図面は、本考案の一部の実施例に対応する図面に過ぎない。
【００１７】
【図１】本考案に係る安定型洗顔器の斜視図である。
【図２】本考案に係る安定型洗顔器の背面図である。
【図３】図２のＡ−Ａ線に沿った断面図である。
【図４】本考案に係る安定型洗顔器の導光カバーを示す斜視図である。
【図５】本考案に係る安定型洗顔器の導光カバーを示す斜視図である。
【図６】本考案に係る安定型洗顔器のハウジングを示す斜視図である。
【図７】本考案に係る安定型洗顔器の支持カバーを示す斜視図である。
【考案を実施するための形態】
【００１８】
以下、本考案の実施例における図面と併せて、本考案の実施例における技術的解決手段を明白かつ完全に説明し、もちろん、説明される実施例は、本考案の一部の実施例に過ぎず、全部の実施例ではない。当業者であれば、創造的労働を要することなく、本考案における実施例に基づいて得られた他のすべての実施例は、いずれも本考案の保護範囲に属する。
【００１９】
従来技術において、洗顔器の導光カバーがハウジングに不安定に接続されており、緩みやすいので、振動時のモーターの振動効果が弱くなり、きれいに洗浄できなく、使用が不便で、使用感が悪い。
【００２０】
以下は、本考案によって提供される上記技術的課題を解決できる安定型洗顔器の好ましい実施例である。
【００２１】
図１、図２および図３を参照し、ここで、図１は本考案に係る安定型洗顔器の斜視図であり、図２は本考案に係る安定型洗顔器の背面図であり、図３は図２のＡ−Ａ線に沿った断面図である。
【００２２】
図中では、同様の構造を持つユニットが同じ参照番号で示されている。
【００２３】
本考案における「第１」や「第２」などの用語は、説明するためのものに過ぎず、相対的な重要度を指示や示唆するもの、或いは優先順位を限定するものとして理解できない。
【００２４】
本考案による安定型洗顔器は、上部ハウジングと下部ハウジングからなるハウジング６１と、ハウジング６１内に配置された回路装置と、ハウジング６１内に配置され、かつ回路装置に電気的に接続された動力装置と、ハウジング６１の上部に配置された導光カバー２１と、導光カバー２１の上部に配置された押圧用のマッサージ装置１２と、ハウジング６１の外周側に配置された洗顔用の軟質ゴム部材１１とを含み、導光カバー２１は、リミットリング２１３と、互いに対向して設けられた第１のリミットプレート２１１とを含み、第１のリミットプレート２１１はＬ字型であり、リミットリング２１３は導光カバー２１の下部に位置し、第１のリミットプレート２１１は、導光カバー２１の下部に向かって延び、かつリミットリング２１３内に位置し、マッサージ装置１２は、支持カバー１２２とボール１２１を含み、ボール１２１は、支持カバー１２２の導光カバー２１から離れた側に位置し、支持カバー１２２は、互いに対向して設けられた第２のリミットプレート１２２２を含み、かつ支持カバー１２２の下部に位置し、ハウジング６１には、第１の貫通孔と第１の固定プレートが設けられ、第１の固定プレートは、ハウジング６１内で第１の貫通孔の一側に位置し、導光カバー２１は、第１のリミットプレート２１１によって第１の貫通孔内に嵌入し、かつ第１の固定プレートに係止され、第２のリミットプレート１２２２は、第１の貫通孔内に嵌入して導光カバー２１をハウジング６１に係止する。
【００２５】
ここで、回路装置と動力装置はハウジング６１内に位置し、導光カバー２１は支持カバー１２２とハウジング６１の間に位置し、導光カバー２１はリミットリング２１３と第１のリミットプレート２１１を含み、リミットリング２１３と第１のリミットプレート２１１は導光カバー２１の下部に位置し、第１のリミットプレート２１１はリミットリング２１３の内側に位置し、マッサージ装置１２は支持カバー１２２とボール１２１を含み、ボール１２１は支持カバー１２２側の両端に位置し、支持カバー１２２は第２のリミットプレート１２２２を含み、ハウジング６１は第１の貫通孔と第１の固定プレートを含み、第１の固定プレートは第１の貫通孔の一側に位置し、第１のリミットプレート２１１は第１の貫通孔に嵌入し、かつ第１の固定プレートに貼り合わせられ、第１のリミットプレート２１１がＬ字型であるため、第１のリミットプレート２１１は第１の固定プレートに係止され、第２のリミットプレート１２２２は第１の貫通孔内に嵌入し、第２のリミットプレート１２２２は第１のリミットプレート２１１の位置を制限して第１のリミットプレート２１１が第１の固定プレートから離れるのを防ぐことで、導光カバー２１がハウジング６１に安定して固定され、洗顔器の移動中に導光カバー２１がハウジング６１に不安定に接続されることを防止し、使用者の利用をより容易にする。
【００２６】
図６を参照し、図６は、本考案に係る安定型洗顔器のハウジングを示す斜視図であり、ハウジング６１の上部には、さらに第１の固定突起６１３が設けられ、第１の固定突起６１３はリミットリング２１３の下方に位置し、第１の固定突起６１３の直径は、リミットリング２１３の直径よりも小さく、第１の固定突起６１３はリミットリング２１３内に位置し、リミットリング２１３は、ハウジング６１を位置決めするために使用され、第１の固定突起６１３はリミットリング２１３内に位置し、第１の固定突起６１３はリミットリング２１３の位置を制限することで、動力装置の振動中に導光カバー２１がハウジング６１上で移動して容易に抜けることを防ぎ、洗顔器の耐用年数を向上させるために使用される。
【００２７】
図４および図５を参照し、図４は、本考案に係る安定型洗顔器の導光カバーを示す斜視図であり、図５は、本考案に係る安定型洗顔器の導光カバーを示す斜視図であり、ハウジング６１の導光カバー２１に近い側には位置決め孔６１１２が設けられ、導光カバー２１の下部には位置決めポスト２１４が設けられ、位置決め孔６１１２は位置決めポスト２１４に対向配置され、位置決め孔６１１２は導光カバー２１を位置決めするために使用され、位置決めポスト２１４は位置決め孔６１１２内に係止され、位置決め孔６１１２は、位置決めポスト２１４を固定することで、導光カバー２１の位置をさらに制限し、導光カバー２１をハウジング６１上に安定して接続するために使用される。
【００２８】
導光カバー２１は、互いに対向して設けられた複数の位置決め板２１２をさらに含み、位置決め板２１２は、それぞれ導光カバー２１の頂部に位置し、かつ導光カバー２１の両端に位置し、支持カバー１２２の位置決め板２１２に近い位置にはリミット溝が設けられ、位置決め板２１２は、リミット溝内に位置し、支持カバー１２２を位置決めするために使用され、位置決め板２１２は、リミット溝内に係止され、リミット溝は、位置決め板２１２の位置を制限し、支持カバー１２２が導光カバー２１上で移動することを防止するために使用される。
【００２９】
マッサージ装置１２は、転動軸およびシリコンプラグをさらに含み、転動軸およびシリコンプラグはそれぞれボール１２１内に位置し、シリコンプラグは転動軸とボール１２１の間に位置し、支持カバー１２２は、互いに対向して設けられた支持柱１２２１をさらに含み、支持柱１２２１と支持カバー１２２との間の角度は鋭角であり、手で洗顔器を持って押動してマッサージするときに、手とマッサージ装置との間の角度が押動マッサージにより適している。
【００３０】
上部ハウジング６１１内には第１のリミットフレームが設けられ、下部ハウジング６１２内には第２のリミットフレームが設けられ、第１のリミットフレームと第２のリミットフレームが対向配置され、第１のリミットフレームと第２のリミットフレームとがリミットチャンバーを形成し、動力装置は振動モーター２２を含み、振動モーター２２はリミットチャンバー内に接続され、振動モーター２２はリミットチャンバー内で振動し、リミットチャンバーは振動モーター２２の位置を制限するために使用され、振動モーター２２は振動するときにリミットチャンバーから離れることなく、振動によってより良い洗顔効果が得られる。
【００３１】
回路装置の一側に電池２３が設けられ、電池２３は回路装置に電気的に接続され、軟質ゴム部材１１はシリコンスリーブであり、シリコンスリーブの一面には、洗顔用の複数のクレンジングブラシ１１１が設けられ、電池２３は、振動モーター２２に電力を供給するためのもので、停電時にも洗顔器を使用することができる。
【００３２】
上部ハウジング６１１の外側には固定溝が設けられ、シリコンスリーブの内側にはリミット突起が設けられ、リミット突起は固定溝６１１１内に位置し、固定溝６１１１は、シリコンスリーブの位置を制限し、シリコンスリーブがハウジング６１から離れるのを防止するために使用される。
動作原理：
【００３３】
導光カバー２１はハウジング６１とマッサージ装置１２の間に位置し、導光カバー２１は、第１のリミットプレート２１１、リミットリング２１３、位置決めポスト２１４および位置決め板２１２を含み、第１のリミットプレート２１１、リミットリング２１３および位置決めポスト２１４は、導光カバー２１のハウジング６１に近い一面に位置し、第１のリミットプレート２１１および位置決めポスト２１４は、リミットリング２１３内に位置し、位置決め板２１２は、導光カバー２１の他面に位置し、マッサージ装置１２は、支持カバー１２２、ボール１２１、シリコンプラグおよび転動軸を含み、シリコンプラグと転動軸は、ボール１２１内に位置し、シリコンプラグは、転動軸とボール１２１の間に位置し、支持カバー１２２は、支持柱１２２１とリミット溝を含み、支持柱１２２１は、支持カバー１２２面の両側に位置し、リミット溝は、支持カバー１２２の他側に位置し、リミット溝と位置決め板２１２は対向配置され、ハウジング６１は、第１の固定突起６１３、第１のリミットフレーム、第２のリミットフレーム、第１の貫通孔および第１の固定プレートを含み、第１の固定突起６１３は、ハウジング６１の頂部に位置し、かつリミットリング２１３と対向配置され、第１の貫通孔は、第１の固定突起６１３の両側に位置し、かつ第１の固定突起６１３の外側に位置し、第１のリミットフレームは上部ハウジング内に位置し、第２のリミットフレームは下部ハウジング内に位置し、第１のリミットフレームと第２のリミットフレームはリミットチャンバーを形成し、動力装置はリミットチャンバー内に位置し、回路装置はハウジング６１内に位置し、かつ動力装置の一側に位置する。
【００３４】
まず、回路モジュールを上部ハウジング６１１に装着し、振動モーター２２を第１のリミットフレーム内に係止し、下部ハウジング６１２と上部ハウジング６１１をハウジング６１として貼り合わせ、第１のリミットフレームと第２のリミットフレームをリミットチャンバーとして貼り合わせ、リミットチャンバーでは、振動モーター２２をハウジング６１内に固定することで、振動モーター２２が振動する時にハウジング６１内で移動するのを防ぎ、導光カバー２１の第１のリミットプレート２１１を第１の貫通孔に嵌入して第１の固定プレートに係止し、第１のリミットプレート２１１がＬ字型であるため、第１のリミットプレート２１１はハウジング６１から容易に離れることなく、導光カバー２１のリミットリング２１３は、第１の固定突起６１３の外周側に位置し、第１の固定突起６１３は、導光カバー２１の位置しを制限し、導光カバー２１がハウジング６１上で転動または移動するのを防止するために使用され、導光カバー２１の位置決めポスト２１４は、ハウジング６１の位置決め孔６１１２に位置し、位置決め孔６１１２は、位置決めポスト２１４を位置決めし、導光カバー２１がハウジング６１上で移動または転動するのをさらに防止するために使用される。
【００３５】
さらに、支持カバー１２２の第２のリミットプレート１２２２を導光カバー２１に通して第１の貫通孔内に嵌入し、第２のリミットプレート１２２２と第１のリミットプレート２１１は、第１の貫通孔内に位置し、第２のリミットプレート１２２２は、第１の貫通孔を埋めるために使用され、それによって、導光カバー２１が第１の固定プレートから離れるのを防止し、さらに、支持カバー１２２は、ネジで導光カバー２１を貫通してハウジング６１上に固定され、導光カバー２１がハウジング６１と支持カバー１２２の間に位置しているため、導光カバー２１は、支持カバー１２２を介してハウジング６１上に固定される。
【００３６】
洗顔器を起動する場合、振動モーター２２はリミットチャンバー内で振動し、リミットチャンバーが振動モーター２２の位置を制限するので、一方では振動モーター２２がハウジング６１内で移動することを防止し、他方では、振動モーター２２が振動すると、振動モーター２２がハウジング６１を振動させ、ハウジング６１がシリコンスリーブを振動させるので、振動モーター２２がシリコンスリーブをより効果的に振動させることができ、マッサージを必要とする時、ボール１２１を手に載せて押動し、支持柱１２２１と支持カバー１２２との間の角度が鋭角であるため、使用者がマッサージ装置１２を押動しやすくなり、洗顔器は、押動してマッサージすることができるだけでなく、振動モーター２２によって洗顔することもでき、振動モーター２２が振動する時、導光カバー２１がハウジング６１に安定して接続されているため、洗顔器の安定性が向上し、モーター振動の効果がより良くなり、使いやすいだけでなく、洗顔器の耐用年数も長くなる。
【００３７】
好ましい本実施例に係る安定型洗顔器は、導光カバーがハウジングと支持カバーの間に位置し、ハウジングの第１の固定突起は、リミットリング内に位置し、導光カバーの位置を制限して導光カバーがハウジング上で揺れないようにするために使用され、第１のリミットプレートは第１の貫通孔内に嵌入して第１の固定プレートに貼り合わせられ、第１のリミットプレートがＬ字型であるため、第１のリミットプレートは第１の固定プレートに係止され、支持カバーの第２のリミットプレートは第１の貫通孔内に嵌入して第１のリミットプレートがハウジングから離れるのを防ぐことで、導光カバーをハウジング内に固定し、最も好ましくは支持カバーと導光カバーをネジでハウジング上に固定することで、洗顔器の振動時に導光カバーがハウジング上で揺れるのを防ぐ。
【００３８】
要約すると、本考案が好ましい実施例で上記のように開示されているが、上記の好ましい実施例は、本考案を限定するためのものではなく、当業者であれば、本考案の精神および範囲から逸脱することなく、様々な変更および修飾を行うことができるので、本考案の保護範囲は、特許請求の範囲によって定義された範囲に従うものとする。
【図１】
0003233602.tif 000003
【図２】
0003233602.tif 000004
【図３】
0003233602.tif 000005
【図４】
0003233602.tif 000006
【図５】
0003233602.tif 000007
【図６】
0003233602.tif 000008
【図７】
0003233602.tif 000009